(57)【要約】【課題】本発明は馬目地様のブロック調模様の基調を崩すことなく、適度の変化を付して面白味のある模様を建築板に付することを課題とする。【解決手段】横目地溝３の複数条で複数段の段部２を画定し、各段部２に凸ブロック５の複数個を縦目地溝４を介して配列した馬目地調のブロック調模様の基調を維持しつゝ凸ブロック５の横巾および段部２の縦巾を数種類設定して変化をつける。【選択図】  図１
2004300705.tif 000002
【特許請求の範囲】
【請求項１】
表面に複数条の横目地溝を所定の間隔で設けて画定した複数段の段部のおのおのに縦目地溝を介して複数個の凸ブロックを配列し、各段部において該縦目地溝が上側および／または下側の段部の縦目地溝と相互連続しないように相互位置をずらし、かつ上側の段部および／または下側の段部に配列されている各凸ブロックの横巾の範囲内には該縦目地溝を１条のみ割当てた馬目地様のブロック調模様を有する建築板であって、該凸ブロックの横巾を基準巾Ｌ、基準巾より若干小さい巾の一種または二種以上、基準巾より若干大きい巾の一種または二種以上に設定し、該段部の縦巾を基準巾Ｗ、基準巾より若干小さい巾の一種または二種以上、基準巾より若干大きい巾の一種または二種以上に設定したことを特徴とする建築板。
【請求項２】
該凸ブロックの横巾を基準巾Ｌ、基準巾より若干小さい巾Ｌ−ｎｄＬ、基準巾より若干大きい巾Ｌ＋ｎｄＬの１＋２ｎ種類（こゝにｎは整数）に設定し、該段部の縦巾を基準巾Ｗ、基準巾より若干小さい巾Ｗ−ｍｄＷ、基準巾より若干大きい巾Ｗ＋ｍｄＷの１＋２ｍ種類（こゝにｍは整数）に設定した請求項１に記載の建築板。
【請求項３】
該凸ブロックの最小または最大の横巾と基準巾Ｌとの差の絶対値は、基準巾Ｌの３〜１５％の範囲に設定され、段部の最小または最大の縦巾と基準巾Ｗとの差の絶対値は基準巾Ｗの５〜２５％の範囲に設定されている請求項１または２に記載の建築板。
【請求項４】
該凸ブロックの横巾は３あるいは５種類、段部の縦巾は３あるいは５種類に設定されている請求項１〜３に記載の建築板。
【請求項５】
上記各段部において凸ブロックは同じ横巾を有するものが４個以上連続しないように配置され、かつ同じ縦巾の段部が上下に相接しないように配置されている請求項１〜４に記載の建築板。
【請求項６】
該凸ブロック上面には数種類の表面様式が与えられている請求項１〜５に記載の建築板。
【発明の詳細な説明】
【０００１】
【発明の属する技術分野】
本発明は、例えば外壁材として使用される建築板に関するものである。
【０００２】
【従来の技術】
従来から例えば図５に示すように複数条の横目地溝（１３）を所定の間隔で設けて画定された各段部（１２）に複数条の縦溝（１４）を介して複数個の凸ブロック（１５）を配列し、各段の縦溝（１４）は上下相互に重ならないよう互い違いにされているいわゆる馬目地様のれんが調模様が表面に付された建築板（１１）が提供されている（例えば特許文献１および特許文献２参照）。
【０００３】
【特許文献１】
実開昭５６−１１２３２１号のマイクロフィルム。
【特許文献２】
特開２００２−３８６９１号公報。
【０００４】
【発明が解決しようとする課題】
上記従来の建築板の馬目地様模様にあっては、横巾と、縦巾との略同一の凸ブロックが配置されており、模様が整然とした感じになって、面白味に欠け、単調な固い印象を与える、と云う問題点があった。
しかし種々の横巾と縦巾とを有する凸ブロックをランダムに配置すれば、馬目地調が喪失してしまい、不規則になり過ぎて雑然とした感じになってしまう。また、エンボス型の設計、即ち図柄の設計が複雑になり、また目地溝もランダムに配置されるので、該目地溝を塗装する場合に図柄部分をインクジェットなどの塗装においては、塗装する部分をすべてコンピューターにデータとしてインプットしておかなければならず、そのデータ処理操作が煩雑になり、正確さに欠けると云う問題点がある。そのため、表面の図柄にある程度のランダム性があると共に、建築板の生産面から部分的には整合性がある図柄であることが望まれていた。
【０００５】
【課題を解決するための手段】
本発明は上記従来の課題を解決する手段として、表面に複数条の横目地溝（３）  を所定の間隔で設けて画定した複数段の段部（２）  のおのおのに縦目地溝（４）  を介して複数個の凸ブロック（５）  を配列し、各段部（２）  において該縦目地溝（４）  が上側および／または下側の段部（２）  の縦目地溝（４）  と相互連続しないように相互位置をずらし、かつ上側の段部（２）  および／または下側の段部（２）  に配列されている各凸ブロック（５）  の横巾の範囲内には該縦目地溝（４）  を１条のみ割当てた馬目地様のブロック調模様を有する建築板（１）  であって、該凸ブロック（５）  の横巾を基準巾Ｌ、基準巾Ｌより若干小さい巾の一種または二種以上、基準巾Ｌより若干大きい巾の一種または二種以上に設定し、該段部（２）  の縦巾を基準巾Ｗ、基準巾Ｗより若干小さい巾の一種または二種以上、基準巾Ｗより若干大きい巾の一種または二種以上に設定した建築板（１）  を提供するものである。
【０００６】
該該凸ブロック（５）  の横巾を基準巾Ｌ、基準巾より若干小さい巾Ｌ−ｎｄＬ、基準巾より若干大きい巾Ｌ＋ｎｄＬの１＋２ｎ種類（こゝにｎは整数）に設定し、該段部（２）  の縦巾を基準巾Ｗ、基準巾より若干小さい巾Ｗ−ｍｄＷ、基準巾より若干大きい巾Ｗ＋ｍｄＷの１＋２ｍ種類（こゝにｍは整数）に設定することが望ましく、凸ブロック（５）  の最小または最大の横巾と基準巾Ｌとの差の絶対値は、基準巾Ｌの３〜１５％の範囲に設定され、段部（２）  の最小または最大の縦巾と基準巾Ｗとの差の絶対値は基準巾Ｗの５〜２５％の範囲に設定されていることが望ましい。
【０００７】
該凸ブロック（５）  の横巾は３あるいは５種類、段部（２）  の縦巾は３あるいは５種類に設定されていることが望ましく、また上記各段部（２）  において凸ブロック（５）  は同じ横巾を有するものが４個以上連続しないように配置され、かつ同じ縦巾の段部（２）  が上下に相接しないように配置されていることが望ましい。
更に該凸ブロック（５）  上面には数種類の表面様式が与えられていることが望ましい。
【０００８】
【作用】
本発明の建築板（１）  の表面の模様にあっては、複数条の横目地溝（３）  を所定の間隔で設けて画定された各段部（２）  のおのおのに複数条の縦目地溝（４）  を介して複数個の凸ブロック（５）  を配列し、各段部（２）  において該縦目地溝（４）  が上側の段部（２）  および／または下側の段部（２）  の縦目地溝（４）  と相互連続しないように相互位置をずらし、かつ上側の段部（２）  および／または下側の段部（２）  に配列されている各凸ブロック（５）  の横巾の範囲内には縦目地溝（４）  を１条のみ割当てるようにされているので、馬目地様の基調は喪失することなく維持されている。
【０００９】
しかし凸ブロック（５）  の横巾を基準巾Ｌ、基準巾Ｌより若干小さい巾の一種または二種以上、基準巾Ｌより若干大きい巾の一種または二種以上に設定し、該段部（２）  の縦巾を基準巾Ｗ、基準巾Ｗより若干小さい巾の一種または二種以上、基準巾Ｗより若干大きい巾の一種または二種以上に設定したとすることによって馬目地様の模様に適度な変化を付することが出来る。
【００１０】
好ましくは凸ブロック（５）  の最小または最大の横巾と基準巾Ｌとの差（絶対値）は、基準巾Ｌの３〜１５％、段部（２）  の最小または最大の縦巾と基準巾Ｗとの差（絶対値）は基準巾Ｗの５〜２５％の範囲とし、更に該凸ブロック（５）  の横巾を３あるいは５種類、段部（２）  の縦巾を３あるいは５種類とすると、上記変化の中にもある程度の統制があるバランスのとれた馬目地様模様を与える。
【００１１】
上記模様を構成する凸ブロック（５）  の配列様式として、各段部（２）  で同じ横巾を有するものが４個以上連続しないようにし、同じ縦巾の段部（２）  が上下に相接しないように設定すれば、馬目地様の模様の基調を崩することなく、適度なランダム配列によって更に変化をつけることが出来る。該建築板（１）  の表面に塗装を施す時には通常インクジェットを使用するが、上記したように凸ブロック（５）  の最小または最大の横巾が基準巾Ｌの３〜１５％の範囲に設定され、段部（２）  の最小または最大の縦巾が基準巾Ｗの５〜２５％の範囲に設定されていると、インクジェットの操作範囲が狭まり、コンピューター操作が容易になるし、図柄も特定の種類の凸ブロックの組合せになるから、図柄の設計、即ち型の設計も容易になる。更に凸ブロック（５）  の横巾がＬ、Ｌ±ｎｄＬの１＋２ｎ種類（こゝにＬは基準巾、ｄＬは大きくない値、ｎは整数、好ましくは１または２）とし、該段部（２）  の縦巾をＷ、Ｗ±ｍｄＷの１＋２ｍ種類（こゝにＷは基準巾、ｄＷは大きくない値、ｍは整数、好ましくは１または２）に規定されているので、インクジェットのコンピューター操作が更にプログラムし易くなるし、また図柄の設計、即ち型の設計も更に容易になる。
本発明を以下に詳細に説明する。
【００１２】
【発明の実施の形態】
本発明を図１〜図４に示す一実施例によって説明すれば、建築板（１）  は、例えば木片、木粉、木質パルプ、木質繊維束、木毛等の木質補強材を混合した木質セメント板からなる。
該建築板（１）  の全長は３０３０ｍｍ、働き巾は４５５ｍｍであり、該建築板（１）  には１２条の横目地溝（３）  を所定の間隔で設けることによって１２条の段部（２）  が画定されており、各段部（２）  には１１条ないし１２条の縦目地溝（４）  を介して１２個ないし１３個の凸ブロック（５）  が配列され、上縁には下実部（６）  、下縁には上実部（７）  が形成されている。
【００１３】
上記凸ブロック（５）  において、横巾は基準巾Ｌ＝２５２．５ｍｍ（５ｍ）、Ｌ＋ｄＬ＝２６５．０ｍｍ（５ｌ）、Ｌ−ｄＬ＝２４０．０ｍｍ（５ｓ）（こゝにｄＬ＝１２．５ｍｍ）の３種類（ｎ＝１）、各段部（２）  の縦巾は基準巾Ｗ＝３７．９ｍｍ、Ｗ＋ｄＷ＝４２．９ｍｍ、Ｗ−ｄＷ＝３２．９ｍｍ（こゝにｄＷ＝５ｍｍ）の３種類（ｍ＝１）に設定されている。こゝに段部（２）  の縦巾Ｗ，Ｗ±ｄＷとは図２に示すように一方の側の横目地溝（３）  と凸ブロック（５）  の縦巾との和に等しい。最上段の段部（２）  と最下段の段部（２）  を除く各段部（２）  の縦目地溝（４）  は、上側の段部（２）  および下側の段部（２）  に配列されている縦目地溝（４）  と相互に連続しないようにされ、最上段の段部（２）  にあっては、下側の段部（２）  に配列されている縦目地溝（４）  と相互に連続しないようにされ、最下段の段部（２）  にあっては、上側の段部（２）  に配列されている縦目地溝（４）  と相互に連続しないようにされている。更に最上段の段部（２）  と最下段の段部（２）  を除く各段部（２）  にあっては、上側の段部（２）  に配列されている各凸ブロック（５）  および下側の段部（２）  に配列されている各凸ブロック（５）  の横巾の範囲内には１条の縦目地溝（４）  のみ割当て、最上段の段部（２）  にあっては、下側の段部（２）  に配列されている各凸ブロック（５）  の横巾の範囲内には１条の縦目地溝（４）  のみ割当てられ、最下段の段部（２）  にあっては、上側の段部（２）  に配列されている各凸ブロック（５）  の横巾の範囲内には１条の縦目地溝（４）  のみ割当てるようにしている。本実施例にあっては一段おき（偶数段）にＬ，Ｌ＋ｄＬ，Ｌ−ｄＬの横巾を切欠いた端数凸ブロック（５’）を両端に配置して各段長さ３０３０ｍｍの範囲に収まるようにしている。
【００１４】
横巾の基準巾Ｌは３０３０ｍｍ÷１２＝２５２．５ｍｍとして設定され、奇数段にあっては横巾Ｌ＋ｄＬの凸ブロック（５）  （５ｌ）と、Ｌ−ｄＬの凸ブロック（５）  （５ｓ）とが同じ個数（ｋ）だけ配置され、＋ｋｄＬ−ｋｄＬ＝０、したがって長さ３０３０ｍｍの範囲に収まるようにされている。こゝに各奇数段について横巾Ｌの凸ブロック（５）  （５ｍ）の個数をｌとすれば、ｋ＝（１２−ｌ）／２である。本実施例ではｋ＝４に設定されている。即ち横巾Ｌの凸ブロック（５）  （５ｍ）の個数ｌ＝４である。そして段部（２）  の縦巾の基準巾Ｗは４５５÷１２＝３７．９ｍｍとして設定され、Ｗ＋ｄＷの縦巾を有する段部（２）  と、Ｗ−ｄＷの縦巾を有する段部（２）  とは同数（それぞれ４個ずつ）設けられ、働き巾が４５５ｍｍに収まるようにされている。
【００１５】
更に本実施例では各段部で同じ横巾を有する凸ブロック（５）  が４個以上連続しないように配置されている。具体的には１段目：２箇所で凸ブロック（５ｓ）が２個連続、２段目：１箇所で凸ブロック（５ｓ）が３個連続、１箇所で凸ブロック（５ｌ）が３個連続、３段目：１箇所で凸ブロック（５ｓ）が３個連続、２箇所で凸ブロック（５ｍ）が２個連続、１箇所で凸ブロック（５ｌ）が２個連続、４段目：１箇所で凸ブロック（５ｓ）が３個連続、１箇所で凸ブロック（５ｍ）が３個連続、２箇所で凸ブロック（５ｌ）が２個連続、５段目：１箇所で凸ブロック（５ｓ）が２個連続、１箇所で凸ブロック（５ｍ）が２個連続、６段目：１箇所で凸ブロック（５ｓ）が２個連続、１箇所で凸ブロック（５ｍ）が２個連続、１箇所で凸ブロック（５ｌ）が２個連続、７段目：２箇所で凸ブロック（５ｓ）が２個連続、１箇所で凸ブロック（５ｍ）が３個連続、１箇所で凸ブロック（５ｌ）が２個連続、８段目：１箇所で凸ブロック（５ｓ）が２個連続、９段目：１箇所で凸ブロック（５ｓ）が３個連続、１箇所で凸ブロック（５ｌ）が２個連続、１０段目：１箇所で凸ブロック（５ｓ）が２個連続、１箇所で凸ブロック（５ｍ）が２個連続、１１段目：１箇所で凸ブロック（５ｓ）が２個連続、１２段目：１箇所で凸ブロック（５ｓ）が２個連続、１箇所で凸ブロック（５ｍ）が２個連続、１箇所で凸ブロック（５ｌ）が３個連続、以上の通り４個以上同じ横巾の凸ブロック（５）  が連続することはない。
【００１６】
更に本実施例では同じ縦巾の段部（２）  が上下相接しないように配置されている。本実施例では１段目Ｗ−ｄＷ（３２．９ｍｍ）、２段目Ｗ＋ｄＷ（４２．９ｍｍ）、３段目Ｗ（３７．９ｍｍ）、４段目Ｗ＋ｄＷ（４２．９ｍｍ）、５段目Ｗ−ｄＷ（３２．９ｍｍ）、６段目Ｗ（３７．９ｍｍ）、７段目Ｗ−ｄＷ（３２．９ｍｍ）、８段目Ｗ（３７．９ｍｍ）、９段目Ｗ＋ｄＷ（４２．９ｍｍ）、１０段目Ｗ（３７．９ｍｍ）、１１段目Ｗ−ｄＷ（３２．９ｍｍ）、１２段目Ｗ＋ｄＷ（４２．９ｍｍ）に設定されている。
【００１７】
なお本実施例では横目地溝（３）  の巾は５〜６ｍｍ、縦目地溝（４）  の巾は２．５〜３．５ｍｍに設定される。
【００１８】
更に本実施例では凸ブロック（５）  の表面様式を２種設定している。即ち１つは表面平滑なミカゲ石調、１つは表面に微細凹凸を形成した天然石調の２つの様式とされる。上記２つの表面様式の比率は２：８〜８：２、望ましくは３：７〜７：３にすると表面の変化が効果的になり、上記２つの表面様式はランダムに散在されており、この状態は例えば図３、図４に示される。図３、図４において、無地ブロックはミカゲ石調、斜線ブロックは天然石調を示す。
【００１９】
本実施例以外、建築板全長１２Ｌ、働き巾１２Ｗ、ｎ＝２、ｍ＝２として凸ブロックの横巾の基準巾Ｌ＝２５２．５ｍｍ、基準巾Ｌより若干小さい巾２種類２４０ｍｍ、２２０ｍｍ、基準巾Ｌより若干大きい巾２種類２６５ｍｍ、２８５ｍｍ（こゝにｄＬ＝１２．５ｍｍ、ｄＬ’＝３２．５ｍｍ）の５種類、段部の縦巾の基準巾Ｗ＝３７．９ｍｍ、基準巾Ｗより若干小さい巾２種類３２．９ｍｍ、２９．９ｍｍ、基準巾Ｗより若干大きい巾２種類４２．９ｍｍ、４５．９ｍｍ（こゝにｄＷ＝５ｍｍ、ｄＷ’＝８ｍｍ）の５種類としてもよい。こゝに凸ブロック（５）  の最小の横巾２２０ｍｍと基準巾２５２．５ｍｍとの差の絶対値は２５２．５ｍｍ−２２０ｍｍ＝３２．５ｍｍ（基準巾の約−１２．９％）、最大の横巾２８５ｍｍと基準巾２５２．５ｍｍとの差の絶対値は２８５ｍｍ−２５２．５ｍｍ＝３２．５ｍｍ（基準巾の約＋１２．９％）、段部（２）  の最小の縦巾２９．９ｍｍと基準巾３７．９ｍｍとの差の絶対値は３７．９ｍｍ−２９．９ｍｍ＝８ｍｍ（基準巾の約−２１％）、最大の縦巾４５．９ｍｍと基準巾３７．９ｍｍとの差の絶対値は４５．９ｍｍ−３７．９ｍｍ＝８ｍｍ（基準巾の約＋２１％）である。この場合各段について例えば基準巾凸ブロック（５ｍ）４個（４Ｌ）、短い凸ブロック（５ｓ）２個（２Ｌ−２ｄＬ）、更に短い凸ブロック（５ｓｓ）２個（２Ｌ−４ｄＬ’）、長い凸ブロック（５ｌ）２個（２Ｌ＋２ｄＬ）、更に長い凸ブロック（５ｌｌ）２個（２Ｌ＋４ｄＬ’）合計１２個とすると、４Ｌ＋２（Ｌ−ｄＬ）＋２（Ｌ−２ｄＬ’）＋２（Ｌ＋ｄＬ）＋２（Ｌ＋２ｄＬ’）＝１２Ｌの全長に納まる。こゝにｄＬ＝１２．５ｍｍ、ｄＬ’＝３２．５ｍｍである。また基準巾段部Ｗ４条（４Ｗ）、巾狭段部（Ｗ−ｄＷ）２条、更に巾狭段部（Ｗ−２ｄＷ’）２条、巾広段部（Ｗ＋ｄＷ）２条、更に巾広段部（Ｗ＋２ｄＷ’）２条：合計１２条とする。４Ｗ＋２（Ｗ−ｄＷ）＋２（Ｗ−２ｄＷ’）＋２（Ｗ＋ｄＷ）＋２（Ｗ＋２ｄＷ’）＝１２Ｗの働き巾に収まる。こゝにｄＷ＝５ｍｍ、ｄＷ’＝８ｍｍである。
【００２０】
更に本発明では段数を８段とし、各段部１２個の凸ブロックを配列しても良い。この実施例では凸ブロックの横巾３２．９ｍｍ、３７．９ｍｍ、４２．９ｍｍの３種類、段部縦巾２４０ｍｍ、２５２．５ｍｍ、２６５ｍｍに設定する。
【００２１】
【発明の効果】
本発明では馬目地様のブロック調模様の基調を維持しながら適度な変化を付して面白味がある模様を有する建築板を提供することが出来る。
【図面の簡単な説明】
図１〜図４は本発明の一実施例を示すものである。
【図１】建築板平面図
【図２】凸ブロック部分拡大平面図
【図３】異なった表面様式を有する凸ブロック配列様式の一例を示す説明平面図
【図４】異なった表面様式を有する凸ブロック配列様式の一例を示す説明平面図
【図５】従来例の建築板平面図
【符号の説明】
１                    建築板
２            段部
３                  横目地溝
４                  縦目地溝
５              凸ブロック
【図１】
2004300705.tif 000003
【図２】
2004300705.tif 000004
【図３】
2004300705.tif 000005
【図４】
2004300705.tif 000006
【図５】
2004300705.tif 000007